(57)【要約】【課題】  簡便な構成によりランプを劣化させることなく確実に再点灯することができるプロジェクタのランプの点灯方法、および、当該ランプの点灯方法を用いたプロジェクタを提供すること。【解決手段】  制御部９は、電源オフ操作がなされると、ランプ１を消灯させるとともに、ＳＲＡＭ１１に所定のデータを書き込んだ後、各部をシャットダウンする。コンデンサ３５は、ＳＲＡＭ１１に電力を供給する電源ライン間に電源部１６と並列となるように設けられているため、電源部１６が停止しているときには、ＳＲＡＭ１１に電力を供給する。制御部９は、電源オン操作がなされると、ＳＲＡＭ１１の所定のデータを書き込んだアドレスからデータを読み出し、記憶部８の所定のデータと比較して、一致しない場合にランプ点灯指示を発することから、プロジェクタ１００は、ランプ１を冷却するのに必要な所定の時間が経過したことを確認してからランプ１を点灯する。【選択図】      図１
2006292984.tif 000002
【特許請求の範囲】
【請求項１】
映像を投写するプロジェクタであって、
前記映像を投写するための光を供給する光源と、
所定のデータを記憶する不揮発性のメモリを含む記憶部と、
データの書き込みおよび読み出しが可能な揮発性メモリと、
少なくとも前記プロジェクタの動作時に前記揮発性メモリに電力を供給する電源部と、
前記電源部から前記揮発性メモリに電力を供給する電源ライン間に前記電源部と並列に設けられ、前記光源の温度が再点灯に適した温度になるのに必要な所定の時間、前記揮発性メモリを機能させることが可能な容量を持つコンデンサと、
前記揮発性メモリへのデータの書き込みおよび読み出しを行う制御部と、を備え、
前記制御部は、前記プロジェクタをオフするための操作がなされると、前記光源を消灯させるとともに、前記揮発性メモリに前記所定のデータを書き込んだ後、前記プロジェクタをシャットダウンし、
前記プロジェクタを起動する操作がなされると、前記揮発性メモリの前記所定のデータが書き込まれたアドレスからデータを読み出し、前記記憶部の所定のデータと比較して、一致しない場合に前記光源を点灯させる指示を発することを特徴とするプロジェクタ。
【請求項２】
さらに、前記光源を冷却するための冷却部を備え、
前記制御部は、前記揮発性メモリの前記所定のデータが書き込まれたアドレスから読み出したデータが、前記記憶部の所定のデータと一致した場合、前記光源を冷却するのに必要な冷却時間の間、前記冷却部を駆動した後、前記光源を点灯させる指示を発することを特徴とする請求項１に記載のプロジェクタ。
【請求項３】
前記冷却部は、前記光源を冷却するための空流を発生するファンであり、前記冷却時間は、１０〜３０秒の時間であることを特徴とする請求項１または２に記載のプロジェクタ。
【請求項４】
前記所定のデータは、１〜５０バイトの範囲内のデータであることを特徴とする請求項１〜３のいずれか一項に記載のプロジェクタ。
【請求項５】
前記電源部から供給される電力により計時を行う計時部をさらに備え、
前記電源部は、前記プロジェクタをオフする操作がなされた後も、外部電源からの電力供給が遮断されるまで電力供給を継続し、
前記制御部は、前記プロジェクタをオフする操作がなされると、前記光源を消灯するとともに、前記計時部により計時を開始し、前記所定の時間が経過したときに、前記揮発性メモリのデータを前記所定のデータと異なるデータに書き換えることを特徴とする請求項１〜４のいずれか一項に記載のプロジェクタ。
【請求項６】
前記制御部は、前記プロジェクタを起動する操作がなされ、前記光源を点灯させる指示を発した後に、前記揮発性メモリの所定のアドレスに前記所定のデータを書き込むことを特徴とする請求項１〜５のいずれか一項に記載のプロジェクタ。
【請求項７】
前記揮発性メモリは、データの書き込みおよび読み出しを行う際に前記揮発性メモリを選択状態にし、また、記憶されたデータを保持する際には前記揮発性メモリを非選択状態とするためのチップセレクト端子を備え、
前記チップセレクト端子には、前記制御部からの前記揮発性メモリの選択状態を制御するチップセレクト信号を入力とした変換ロジック部の出力が供給され、前記チップセレクト信号の入力ラインには、抵抗を介して前記電源部のグランドレベルが接続され、さらに前記変換ロジック部は、前記揮発性メモリと同一の電源ラインから電力の供給を受けていることを特徴とする請求項１〜６のいずれか一項に記載のプロジェクタ。
【請求項８】
映像を投写するための光を供給する光源と、所定のデータを記憶する不揮発性のメモリを含む記憶部と、データの書き込みおよび読み出しが可能な揮発性メモリと、少なくとも前記プロジェクタの動作時に前記揮発性メモリに電力を供給する電源部と、前記電源部から前記揮発性メモリに電力を供給する電源ライン間に前記電源部と並列に設けられ、前記光源の温度が再点灯に適した温度になるのに必要な所定の時間、前記揮発性メモリを機能させることが可能な容量を持つコンデンサと、を備えたプロジェクタの光源の点灯方法であって、
前記プロジェクタをオフするための操作がなされると、前記光源を消灯させるとともに、前記揮発性メモリに前記所定のデータを書き込んだ後、前記プロジェクタをシャットダウンする工程と、
前記プロジェクタを起動する操作がなされると、前記揮発性メモリの前記所定のデータが書き込まれたアドレスからデータを読み出し、前記記憶部の所定のデータと比較する工程と、
前記揮発性メモリから読み出したデータと、前記記憶部の所定のデータとが一致しない場合に、前記光源を点灯させる指示を発する工程とを、含むことを特徴とするプロジェクタの光源の点灯方法。
【発明の詳細な説明】
【技術分野】
【０００１】
本発明は、プロジェクタが投写する映像の光源の点灯方法、および当該光源の点灯方法を用いたプロジェクタに関する。
【背景技術】
【０００２】
プロジェクタの光源として、高圧水銀ランプや、メタルハライドランプなどの高輝度が得られる放電式のランプが多用されている。
これらの放電式ランプは、ランプに封入されている水銀や金属ハロゲン化合物などの発光媒体を気化し、気体となった発光媒体に電子が衝突することにより発光する。発光媒体を気化するために高周波高電圧が印加されることから、ランプが点灯しているときのランプの温度および内圧は、約１０００℃かつ１０〜４０気圧という高温高圧状態となっている。
このため、ランプを消灯した後も、ランプの高温高圧の状態は所定の時間継続する。消灯したランプが高温高圧となっている間は、高周波高電圧を加えても電子が飛びにくいため、ランプを再点灯させることは困難であった。さらに、ランプが十分に冷める前に、点灯動作により高周波高電圧を加えると、ランプの電極の劣化を促すこととなり、ランプの寿命が短くなってしまう恐れがあった。
【０００３】
このような放電式ランプの特性を考慮し、ランプの劣化を防ぐための技術が知られている。例えば、特許文献１のプロジェクタは、ランプを劣化させることなく再点灯することが可能な所定の温度を分岐点として、ランプ温度が所定の温度より低いときにランプを点灯させる初期始動回路と、ランプ温度が所定の温度以上であるときにランプを点灯させる再始動回路とを有している。当該プロジェクタは、ランプの点灯操作がなされると、温度計測部によりランプの端子近傍の温度を所定の温度として測定し、測定された温度に応じてランプを点灯させる点灯回路を選択する。
また、特許文献２のプロジェクタは、電源オフ操作がなされた後の時間を計時する制御装置（計時部）を備えている。このような計時部を応用すると、ランプが自然放熱するのに十分な時間が経過したことを確認してからランプを点灯するプロジェクタが考えられる。当該プロジェクタの計時部としては、例えば、特許文献３や４の制御用計時装置などに記載されているような計時用のコンデンサを含む計時部を用いることができる。
計時用のコンデンサは、制御用計時装置の動作時に充電され、電源がオフされると放電を開始する。制御用計時装置は、計時用のコンデンサの放電量を内蔵するＡ／Ｄ変換回路により検出し、当該放電量から、電源がオフされてからの時間を計時していた。
【０００４】
【特許文献１】特開平５−１１３９９号公報
【特許文献２】登録実用新案第３０５４３３８号公報
【特許文献３】特開平７−１９１１５９号公報
【特許文献４】特開平７−１９１１６０号公報
【発明の開示】
【発明が解決しようとする課題】
【０００５】
しかしながら、特許文献１のプロジェクタでは、ランプを再点灯させるために、温度計測部および初期始動回路、さらには再始動回路などからなる複雑な専用の構成を必要としていた。
また、プロジェクタのランプが消灯し、空気の流れによりランプ周辺部を冷却するファンなどの冷却装置も一緒に停止した場合、ランプ自体の温度は徐々に下がってゆくものの、ランプ近傍の温度は、プロジェクタ内部の空気の流れが滞留することから、一時的に上昇することがある。このため、ランプの端子近傍の温度が、直接的にランプ温度を示しているとは言えなかった。
【０００６】
また、プロジェクタが、ランプが放熱するのに十分な時間が経過したかどうか計時するための特許文献３や４のような計時部を備えていた場合も、計時用のコンデンサや、Ａ／Ｄ変換回路、コンデンサに充放電するための充放電回路など、専用の計時部としての構成が必要であった。
さらに、計時用のコンデンサの容量が小さすぎると、充電されていた電荷がＡ／Ｄ変換回路で吸収されてしまう可能性があるため、正確な計時ができないことも想定される。
このように、従来のプロジェクタでは、ランプの温度状況や、冷却状況を確認するために専用の構成が必要であったということ、および、ランプの冷却状況を正確に把握することが難しかったため、ランプを劣化させることなく再点灯させることが困難であったという問題を有していた。
【０００７】
上記課題を解決するために、本発明では、簡便な構成により光源としてのランプを劣化させることなく確実に再点灯することができるプロジェクタの光源の点灯方法、および、当該光源の点灯方法を用いたプロジェクタを提供することを目的とする。
【課題を解決するための手段】
【０００８】
前記目的を達成するために、本発明のプロジェクタは、映像を投写するプロジェクタであって、映像を投写するための光を供給する光源と、所定のデータを記憶する不揮発性のメモリを含む記憶部と、データの書き込みおよび読み出しが可能な揮発性メモリと、少なくともプロジェクタの動作時に揮発性メモリに電力を供給する電源部と、電源部から揮発性メモリに電力を供給する電源ライン間に電源部と並列に設けられ、光源の温度が再点灯に適した温度になるのに必要な所定の時間、揮発性メモリを機能させることが可能な容量を持つコンデンサと、揮発性メモリへのデータの書き込みおよび読み出しを行う制御部と、を備え、制御部は、プロジェクタをオフするための操作がなされると、光源を消灯させるとともに、揮発性メモリに所定のデータを書き込んだ後、プロジェクタをシャットダウンし、プロジェクタを起動する操作がなされると、揮発性メモリの所定のデータが書き込まれたアドレスからデータを読み出し、記憶部の所定のデータと比較して、一致しない場合に光源を点灯させる指示を発することを特徴とする。
【０００９】
この構成によれば、制御部は、プロジェクタをオフするための操作がなされると、光源を消灯させるとともに、揮発性メモリに所定のデータを書き込んだ後、プロジェクタをシャットダウンすることから、揮発性メモリには、プロジェクタがオフした時点で所定のデータが記憶されている。さらに、コンデンサは、電源部から揮発性メモリに電力を供給する電源ライン間に電源部と並列に設けられていることから、プロジェクタの動作時に電源部からの電力を蓄電し、電源部が停止しているときには、揮発性メモリに電力を供給する。
よって、揮発性メモリに記憶された所定のデータは、コンデンサから電力が供給されている間、保持される。
コンデンサは、光源の温度が再点灯に適した温度になるのに必要な所定の時間、揮発性メモリを機能させることが可能な容量を持っていることから、揮発性メモリに書き込まれた所定のデータが保持されているということは、所定の時間に達していないことを意味している。
【００１０】
制御部は、プロジェクタを起動する操作がなされると、前記揮発性メモリの前記所定のデータが書き込まれたアドレスからデータを読み出し、記憶部の所定のデータと比較して、一致しない場合に光源を点灯させる指示を発することから、プロジェクタは、光源の温度が再点灯に適した温度になるのに必要な所定の時間が経過したことを確認してから光源を点灯する。
よって、プロジェクタは、光源の冷却が終了した後に光源を点灯することから、高温状態で光源点灯動作を行ってしまうことによる光源の劣化を防ぐとともに、光源を確実に再点灯することができる。
【００１１】
さらに、一般的なプロジェクタにおいて、光源、記憶部、電源部、制御部などは、標準の構成部位である。また、揮発性のメモリは、プロジェクタの映像信号処理手順を規定したファームウエアのワークエリアに用いられているＳＲＡＭなどの揮発性メモリを流用することができる。また、コンデンサも、揮発性メモリのバイパスコンデンサを流用することができる。
よって、光源を劣化させることなく再点灯させるために、光源の温度を測定する温度計測部や、光源の冷却時間を確認する計時部などの専用部位が必要であった従来のプロジェクタと異なり、本発明のプロジェクタの構成は、簡便である。
従って、簡便な構成により光源を劣化させることなく確実に再点灯することができるプロジェクタを提供することができる。
【００１２】
本発明に係るプロジェクタによれば、さらに、光源を冷却するための冷却部を備え、制御部は、揮発性メモリの所定のデータが書き込まれたアドレスから読み出したデータが、記憶部の所定のデータと一致した場合、光源を冷却するのに必要な冷却時間の間、冷却部を駆動した後、光源を点灯させる指示を発することが好ましい。
【００１３】
この構成によれば、制御部は、揮発性メモリから読み出したデータが、記憶部の所定のデータと一致した場合、光源を冷却するのに必要な冷却時間の間、冷却部を駆動した後、前記光源を点灯させる指示を発することから、プロジェクタは、光源が高温であると判断される場合、直ぐに光源の点灯は行なわず、冷却部により冷却を行ってから光源を点灯する。
よって、高温状態で光源点灯動作を行ってしまうことによる光源の劣化を防ぐことができるとともに、確実に光源を再点灯することができる。
従って、光源を劣化させることなく確実に再点灯することができるプロジェクタを提供することができる。
【００１４】
本発明に係るプロジェクタによれば、冷却部は、光源を冷却するための空流を発生するファンであり、冷却時間は、１０〜３０秒の時間であることが好ましい。
【００１５】
この構成によれば、冷却部は、光源を冷却するための空気の流れを発生するファンであり、冷却時間は、１０〜３０秒の時間であることから、光源は、ファンが発生する空気の流れにより１０〜３０秒という短時間で冷却される。
よって、光源を冷却するための所定の時間が経過していない場合であっても、プロジェクタは、光源をファンにより速やかに冷却し、短時間で光源を再点灯させることができる。
【００１６】
本発明に係るプロジェクタによれば、所定のデータは、１〜５０バイトの範囲内のデータであることが好ましい。
【００１７】
標準的なプロジェクタのファームウエアのワークエリアに用いられている揮発性メモリのサイズは、メガビットオーダである。
この構成によれば、所定のデータは、１〜５０バイトの範囲内のデータであることから、所定のデータにより必要とされるメモリエリアは、揮発性メモリが有する記憶容量の極一部のエリアで良い。
よって、光源冷却時間を確認するための専用部位を必要としない簡便な構成のプロジェクタを提供することができる。
【００１８】
本発明に係るプロジェクタは、電源部から供給される電力により計時を行う計時部をさらに備え、電源部は、プロジェクタをオフする操作がなされた後も、外部電源からの電力供給が遮断されるまで電力供給を継続し、制御部は、プロジェクタをオフする操作がなされると、光源を消灯するとともに、計時部により計時を開始し、所定の時間が経過したときに、揮発性メモリのデータを所定のデータと異なるデータに書き換えることが好ましい。
【００１９】
この構成によれば、制御部は、プロジェクタをオフする操作がなされると、光源を消灯するとともに、計時部により計時を開始し、所定の時間が経過したときに、揮発性メモリのデータを所定のデータと異なるデータに書き換えることから、揮発性メモリの所定のデータは、所定の時間が経過すると消去される。
よって、プロジェクタが、プロジェクタをオフする操作がなされた後も、外部電源からの電力供給が遮断されるまで電力供給を継続する電源部を備えている場合において、所定の時間が経過した後に、プロジェクタを起動した場合、揮発性メモリから読み出したデータと、記憶部の所定のデータとが一致しないことから、プロジェクタは、コンデンサによる放電時間を待つことなく、速やかに光源を点灯する。
また、所定の時間が経過する前に、外部電源が遮断された場合、揮発性メモリはコンデンサからの電力により所定の時間機能することから、プロジェクタは、起動操作がなされても、所定の時間が経過するまでは、光源点灯の指示は出さない。
よって、プロジェクタが、プロジェクタをオフする操作がなされた後も、外部電源からの電力供給が遮断されるまで電力供給を継続する電源部を備えている場合において、所定の時間が経過した後に、速やかに光源を再点灯することができるプロジェクタを提供することができる。
【００２０】
本発明に係るプロジェクタによれば、制御部は、プロジェクタを起動する操作がなされ、光源を点灯させる指示を発した後に、揮発性メモリの所定のアドレスに所定のデータを書き込むことが好ましい。
【００２１】
この構成によれば、制御部は、プロジェクタを起動する操作がなされ、光源を点灯させる指示を発した後に、揮発性メモリの所定のアドレスに所定のデータを書き込むことから、揮発性メモリには、プロジェクタの動作中に所定のデータが記憶されている。
よって、プロジェクタの動作中に誤ってプラグが抜かれて、外部電源からの電力供給が絶たれ、プロジェクタの動作が停止した場合、揮発性メモリは、コンデンサの蓄えた電力により所定の時間機能することから、プロジェクタは、起動操作がなされても、所定の時間が経過するまでは、光源点灯の指示は出さない。
よって、誤操作などによりプロジェクタが停止しても、光源を劣化させることなく確実に再点灯することができるプロジェクタを提供することができる。
【００２２】
本発明に係るプロジェクタによれば、揮発性メモリは、データの書き込みおよび読み出しを行う際に揮発性メモリを選択状態にし、また、記憶されたデータを保持する際には揮発性メモリを非選択状態とするためのチップセレクト端子を備え、チップセレクト端子には、制御部からの揮発性メモリの選択状態を制御するチップセレクト信号を入力とした変換ロジック部の出力が供給され、チップセレクト信号の入力ラインには、抵抗を介して電源部のグランドレベルが接続され、さらに変換ロジック部は、揮発性メモリと同一の電源ラインから電力の供給を受けていることが好ましい。
【００２３】
電源部が停止した場合、揮発性メモリには、電源としてコンデンサが蓄えた電力が印加されるが、電源部の停止にともない電源部から電力供給を受けている制御部も停止するため、チップセレクト信号が不確定となってしまうことが想定される。チップセレクト信号が不確定であると、チップセレクト端子が選択状態となることが想定され、データが破壊されてしまう可能性があった。
この構成によれば、チップセレクト信号の入力ラインには、抵抗を介して電源部のグランドレベルが接続され、さらに変換ロジック部は、揮発性メモリと同一の電源ラインから電力の供給を受けていることから、チップセレクト信号が不確定になった場合、変換ロジック部の入力電位は、電源部のグランドレベルとなる。これにより、チップセレクト端子には、揮発性メモリを非選択状態とするハイレベルの出力電位が供給される。
よって、電源部が停止した場合であっても、揮発性メモリには、電源部と並列に設けられたコンデンサから電力が供給され、チップセレクト端子には、データを保持するためのハイレベルの電位が供給される。
よって、電源部が停止した場合であっても、所定のデータを破壊することなく、所定の時間揮発性メモリを機能させることができる。
【００２４】
前記目的を達成するために、本発明に係るプロジェクタの光源の点灯方法は、映像を投写するための光を供給する光源と、所定のデータを記憶する不揮発性のメモリを含む記憶部と、データの書き込みおよび読み出しが可能な揮発性メモリと、少なくともプロジェクタの動作時に揮発性メモリに電力を供給する電源部と、電源部から揮発性メモリに電力を供給する電源ライン間に電源部と並列に設けられ、光源の温度が再点灯に適した温度になるのに必要な所定の時間、揮発性メモリを機能させることが可能な容量を持つコンデンサと、を備えたプロジェクタの光源の点灯方法であって、プロジェクタをオフするための操作がなされると、光源を消灯させるとともに、揮発性メモリに所定のデータを書き込んだ後、プロジェクタをシャットダウンする工程と、プロジェクタを起動する操作がなされると、揮発性メモリの所定のデータが書き込まれたアドレスからデータを読み出し、記憶部の所定のデータと比較する工程と、揮発性メモリから読み出したデータと、記憶部の所定のデータとが一致しない場合に、光源を点灯させる指示を発する工程とを、含むことを特徴とする。
【００２５】
この光源の点灯方法によれば、プロジェクタをオフするための操作がなされると、光源を消灯させるとともに、揮発性メモリに所定のデータを書き込んだ後、プロジェクタをシャットダウンする工程を含むことから、揮発性メモリには、プロジェクタがオフした時点で所定のデータが記憶されている。
コンデンサは、電源部から揮発性メモリに電力を供給する電源ライン間に電源部と並列に設けられていることから、プロジェクタの動作時に電源部からの電力を蓄電し、電源部が停止しているときには、揮発性メモリに電力を供給する。
よって、揮発性メモリに記憶された所定のデータは、コンデンサから電力が供給されている間、保持される。
【００２６】
コンデンサは、光源の温度が再点灯に適した温度になるのに必要な所定の時間、揮発性メモリを機能させることが可能な容量を持っていることから、揮発性メモリに書き込まれた所定のデータが保持されているということは、所定の時間に達していないことを意味している。
さらに、当該光源の点灯方法は、プロジェクタを起動する操作がなされると、揮発性メモリの所定のデータが書き込まれたアドレスからデータを読み出し、記憶部の所定のデータと比較する工程と、揮発性メモリから読み出したデータと、記憶部の所定のデータとが一致しない場合に、光源を点灯させる指示を発する工程とを、含むことから、プロジェクタは、光源を冷却するのに必要な所定の時間が経過したことを確認してから光源を点灯する。
よって、プロジェクタは、光源の冷却が終了した後に光源を点灯することから、高温状態で光源点灯動作を行ってしまうことによる光源の劣化を防ぐとともに、光源を確実に再点灯することができる。
【００２７】
さらに、一般的なプロジェクタにおいて、光源、記憶部、電源部、制御部などは、標準の構成部位である。また、揮発性のメモリは、プロジェクタのファームウエアのワークエリアに用いられているＳＲＡＭなどの揮発性メモリを流用することができる。また、コンデンサも、揮発性メモリのバイパスコンデンサを流用することができる。
よって、光源冷却時間を確認するための専用部位を必要としないことから、プロジェクタの構成は、簡便である。
従って、光源を劣化させることなく確実に再点灯することができるプロジェクタの光源の点灯方法を提供することができる。
【発明を実施するための最良の形態】
【００２８】
以下、添付図面に基づいて、本発明の実施形態を詳細に説明する。
【００２９】
（実施形態１）
《プロジェクタの概要》
図１は、本発明の一実施形態におけるプロジェクタの概要を示す概略構成図である。図２は、プロジェクタのランプおよび光学部近傍の概略構造を示した図である。ここでは、図１および図２を用いて、プロジェクタ１００の概略構成について説明する。
プロジェクタ１００は、光源としてのランプ１が放射した光を、赤色光、青色光、緑色光の光の３原色成分に分離し、各色光毎に光学部２に含まれる光変調素子である各色光用の液晶ライトバルブ３Ｒ，３Ｇ，３Ｂにより、パーソナルコンピュータなどの映像信号供給装置３０からの映像信号に応じて変調し、再度合成してスクリーンＳＣに投写する、いわゆる「液晶３板式プロジェクタ」である。
プロジェクタ１００は、プロジェクタ１００の本体上面に設けられたプロジェクタ１００を操作するための複数の操作用ボタンを備えた操作部４か、操作部４と同様な複数の操作用ボタンを備えたリモコン５により操作される。
【００３０】
プロジェクタ１００は、ランプ１、光学部２、操作部４、リモコン５、映像信号処理部６、液晶パネル駆動部７、記憶部８、制御部９、操作受付け部１０、揮発性メモリとしてのＳＲＡＭ１１、ファン駆動部１３、ファン１４、ランプ駆動部１５、電源部１６などから構成されている。
ランプ１は、プロジェクタ１００が投写する映像の光源であり、高圧水銀ランプや、メタルハライドランプなどの高輝度が得られる放電式のランプである。
【００３１】
光学部２は、インテグレータ光学系２１と、分離光学系２２と、合成光学系２３と、液晶ライトバルブ３Ｒ，３Ｇ，３Ｂとを含んで構成されている。
インテグレータ光学系２１は、ランプ１が放射する白色光を輝度値分布の安定した略平行光な白色光Ｗに変換する。
分離光学系２２は、白色光Ｗを光の３原色である赤色光Ｒ、緑色光Ｇ、青色光Ｂに分離して各色光用の液晶ライトバルブ３Ｒ，３Ｇ，３Ｂに供給する。
合成光学系２３は、クロスダイクロイックプリズムであり、ダイクロイック膜２４と、ダイクロイック膜２５と、を備えている。
【００３２】
液晶ライトバルブ３Ｒ，３Ｇ，３Ｂから射出された各色の変調光は、青色光Ｂを反射し緑色光Ｇを透過するダイクロイック膜２４と、赤色光Ｒを反射し緑色光Ｇを透過するダイクロイック膜２５と、により合成され、映像信号に応じて変調されたフルカラーで略平行光の変調光として射出される。
射出された変調光は、投写レンズ２６により拡大され、投写光ＬとしてスクリーンＳＣに投写映像を映し出す。
【００３３】
映像信号処理部６は、映像信号コンバータ（図示せず）を含んで構成されている。映像信号コンバータは、映像信号供給装置３０から供給されるアナログ映像信号ＶinをＡ／Ｄ変換し、デジタル信号とする。これは、映像信号Ｖinに後述する様々な映像信号処理を施すために行なわれる。
映像信号処理部６は、デジタル信号に変換された映像信号を、液晶ライトバルブ３Ｒ，３Ｇ，３Ｂで表示するのに適した信号とするために、映像データを映像メモリ（いずれも図示せず）に書き込み、所定の条件で読み出すなどの映像信号処理を施した後、再度アナログ映像信号に変換して映像信号Voutとして出力する。映像信号処理には、映像信号にて表される映像を拡大および縮小することにより液晶ライトバルブ３Ｒ，３Ｇ，３Ｂの持つ解像度に合わせるスケーリング処理や、映像信号の有する階調値を液晶ライトバルブ３Ｒ，３Ｇ，３Ｂで表示するのに適した階調値に変換するγ補正処理などが含まれている。
このような映像信号処理部６によるスケーリングなどの映像信号処理は、記憶部８に記憶されている映像信号処理手順を規定したファームウエアを、ワークエリアとしてのＳＲＡＭ１１にて実行することにより行われる。
【００３４】
液晶パネル駆動部７は、液晶ライトバルブ３Ｒ，３Ｇ，３Ｂに映像信号Voutと、駆動電圧などを供給し、液晶ライトバルブ３Ｒ，３Ｇ，３Ｂに映像を写し出す。
制御部９は、ＣＰＵ（Central Processing Unit）であり、バスラインＢusを介して、各部との信号のやり取りを行う。また、制御部９は、カウンタなどから構成される計時部を内蔵しており、計時が可能である。
記憶部８は、例えば、フラッシュメモリなどデータの書き換えが可能な不揮発性のメモリにより構成されている。記憶部８には、例えば、プロジェクタ１００を起動させるときの処理の順序と内容を指示する起動プログラムなど、プロジェクタ１００の動作を指示および制御するための様々な制御プログラムや、ファームウエア、および付随するデータが記憶されている。
制御プログラムには、ランプ１が点灯可能な状態になっているか確認してからランプ１を点灯させる複数のランプ点灯処理プログラムが含まれている。
付随するデータには、ランプ点灯処理プログラムで用いられる、所定のデータや、ファン１４によるランプ１の冷却時間などのデータが含まれている。
所定のデータは、１〜５０バイト程度の単純な数値データである。例えば、「００００１１１１」や、「０１０１０１０１」などの単純な繰り返しデータである。
【００３５】
操作受付け部１０は、操作部４またはリモコン５への操作がなされると、操作を受付け、制御部９へ各種動作のトリガとなる操作信号を送る。
揮発性メモリとしてのＳＲＡＭ１１は、ＳＲＡＭ（Static Random Access Memory）であり、映像信号処理部６において映像信号処理を行う際のファームウエアのワークエリアとして設けられている。ＳＲＡＭ１１は、メガビットオーダのメモリ容量がある。なお、メモリは、リフレッシュが不要な揮発性メモリであればＳＲＡＭでなくても良い。
【００３６】
ファン駆動部１３は、制御部９からのファン駆動コマンドに従い、駆動回路（図示せず）によりファン１４を回転および停止させる。
ファン１４は、回転することにより空気の流れを起こすファン、およびファンを回転させるモータ（図示せず）などから構成されている。ファン１４は、プロジェクタの後方に設置され、矢印Ｂに示す空気の流れを起こすことにより、ランプ１の熱、および光学部２内部の熱を効率的にプロジェクタ外部に放出する。ファン１４による冷却能力は高く、自然放熱の場合と比較して、数倍以上の冷却能力がある。
ランプ駆動部１５は、電源部１６からの電力供給を受け、ランプ１を点灯させるために高電圧を発生して放電経路を形成するイグナイタ回路と、点灯後の安定した点灯状態を維持するためのバラスト回路（いずれも図示せず）とを含んで構成されている。
電源部１６は、外部電源３１からの交流電力をプラグから導き、内蔵するＡＣ／ＤＣ変換部（いずれも図示せず）にて変圧、整流および平滑するなどの処理を施すことにより安定化させた直流電圧をプロジェクタ１００の各部に供給する。
【００３７】
《ＳＲＡＭの周辺回路構成》
図３は、揮発性メモリであるＳＲＡＭ１１の周辺回路構成を示した図である。ここでは、図３と図１を用いて、ＳＲＡＭ１１の周辺回路構成について説明する。
ＳＲＡＭ１１は、記憶単位である各メモリセルがフリップフロップから構成されているため、ＤＲＡＭ（Dynamic Random Access Memory）のように記憶保持のためのリフレッシュが不要である。このため、一見、ＳＲＡＭ１１の正極側の電源端子ＶＤＤと、負極側の電源端子ＶＳＳとの間に動作規格を満たす電力が供給されていればデータが保持されているように考えられるが、それだけではデータを維持することはできなかった。
ＳＲＡＭ１１に書き込まれたデータを保持するためには、さらにＳＲＡＭ１１を選択するためのチップセレクト端子ＣＳの電位を、非選択状態の電位に保持する必要がある。
【００３８】
図３のＳＲＡＭ１１の周辺回路は、このような事柄を鑑みた回路構成となっている。
ＳＲＡＭ１１およびその周辺回路には、電源部１６の正極側の電位ＶＣＣと、負極側のグランドレベルである電位ＶＳＳとから引き出された電源ラインにより電力が供給されている。
ＳＲＡＭ１１の正極側の電源端子ＶＤＤには、電源部１６の正極側の電位ＶＣＣから、逆流防止用のダイオード３６を介して電位ＶＣＣ（ポイントＰ）が印加されている。負極側の電源端子ＶＳＳは、グランドレベルの電位ＶＳＳに接続されている。
ポイントＰの電位ＶＣＣは、コンデンサ３５にも供給されている。コンデンサ３５の他端は、グランドレベルの電位ＶＳＳとなっている。コンデンサ３５は、電源部１６からＳＲＡＭ１１に電力を供給する電源ライン間に電源部１６と並列となるように設けられているため、電位ＶＣＣが印加されている間、電位ＶＣＣによる電荷を蓄電する。
コンデンサ３５は、ＳＲＡＭ１１のバイパスコンデンサであり、また、電源部１６からの電力供給が停止したときには、蓄電した電荷による電位ＶＣＣをＳＲＡＭ１１の電源端子ＶＤＤに供給する。
【００３９】
コンデンサ３５は、電源ラインからのノイズの進入を防ぐバイパスコンデンサとしての機能と、電源部１６が停止したときに、蓄電した電力によりＳＲＡＭ１１をランプ１の冷却に必要な所定の時間機能させる働き、とを兼ねている。コンデンサ３５の容量は、ＳＲＡＭ１１の消費電力と、所定の時間の長さとから求められている。
図３の事例においては、所定の時間が、例えば３０秒であり、この場合の、コンデンサ３５の容量は、１〜１０μＦとして設定される。
ＳＲＡＭ１１には、制御部９からバスラインＢｕｓを介して、チップセレクト信号ＣＳＳｉｇ、リードライト信号Ｗ／Ｒ、アドレス信号Ａｄが入力される。これらの信号により、データの保持や、データバスを介してのＳＲＡＭ１１へのデータの書き込み、ＳＲＡＭ１１からのデータの読み出しが制御される。
【００４０】
チップセレクト信号ＣＳＳｉｇは、変換ロジック部としてのインバータ３７の入力端子に入力される。チップセレクト信号ＣＳＳｉｇの入力ラインには、抵抗３８を介して電源部１６のグランドレベルＶＳＳが接続されている。インバータ３７は、ＳＲＡＭ１１と同一の電源ラインから電力の供給を受けている。
チップセレクト信号ＣＳＳｉｇは、ＳＲＡＭ１１の選択状態と、非選択状態とを制御する信号であり、ＳＲＡＭ１１にデータの書き込みおよび読み出しを行う際にはＳＲＡＭ１１を選択状態とし、また、記憶されたデータを保持する際にはＳＲＡＭ１１を非選択状態とする。
【００４１】
チップセレクト信号ＣＳＳｉｇを入力とするインバータ３７の出力は、チップセレクト端子ＣＳに供給される。例えば、ＳＲＡＭ１１は、チップセレクト端子ＣＳの電位がローレベルであるときに、ＳＲＡＭ１１が選択状態となる仕様であったとする。
この場合、ＳＲＡＭ１１にデータを書き込む、またはＳＲＡＭ１１からデータを読み出すときには、チップセレクト信号ＣＳＳｉｇとしてハイレベルの信号が供給される。
これにより、チップセレクト端子ＣＳ端子には、インバータ３７により反転されたローレベルの電位が印加され、ＳＲＡＭ１１は選択状態となる。
【００４２】
ＳＲＡＭ１１は、前述した電源端子ＶＤＤ，ＶＳＳ、チップセレクト端子ＣＳに加えて、ライトイネーブル端子ＷＥ、アウトプットイネーブル端子ＯＥ、アドレス入力端子ＡＸ、データ端子ＤＸなどの端子を備えている。
ＳＲＡＭ１１へのデータ端子ＤＸからのデータ書き込みは、ＳＲＡＭ１１を選択状態にした上で、アドレス信号Ａｄによりアドレス入力端子ＡＸのアドレスを指定し、ライトイネーブル端子ＷＥをリードライト信号Ｗ／Ｒによりアクティブにすることにより行なわれる。ＳＲＡＭ１１のデータ端子ＤＸからのデータ読み出しは、ＳＲＡＭ１１を選択状態にした上で、アドレス信号Ａｄによりアドレス入力端子ＡＸのアドレスを指定し、アウトイネーブル端子ＯＥをリードライト信号Ｗ／Ｒによりアクティブにすることにより行なわれる。
【００４３】
電源部１６を含むプロジェクタ１００がシャットダウンすると、制御部９も停止するため、チップセレクト信号ＣＳＳｉｇを含む各信号は、不確定状態になってしまう。このとき、チップセレクト端子ＣＳに、ローレベルの電位が印加されると、ＳＲＡＭ１１が選択状態となってしまい、データが破壊されてしまうことがある。
このようにチップセレクト信号ＣＳＳｉｇが不確定となった場合、インバータ３７には、抵抗３８を介してコンデンサ３５の蓄電力によるＶＳＳ（ローレベル）の電位が入力される。チップセレクト端子ＣＳに、ハイレベルの電位が入力されている間は、ＳＲＡＭ１１が選択状態となることはなく、データは保持される。
【００４４】
《第１のランプ点灯処理態様》
図４は、プロジェクタのランプ点灯処理の第１の態様における電源オフ時の処理を示したフローチャートである。図５は、ランプ点灯処理の第１の態様における電源オン時の処理を示したフローチャートである。
ここでは、図４および図５を主体に、適宜図１と、図３を交えて、プロジェクタ１００によるランプ１の点灯処理の流れを説明する。
以下説明するランプ１の点灯処理の流れは、電源オンまたはオフ操作をトリガとして、制御部９が、記憶部８に記憶されている複数のランプ点灯処理プログラムのうち、第１のランプ点灯処理プログラムを実行することにより実現される。
まず、図４の電源オフ時における処理の流れについて説明する。プロジェクタ１００は、動作状態にあり、ランプ１を点灯させて映像を投写している。
【００４５】
ステップＳ４１では、制御部９は、リモコン５に電源オフ操作がなされたことによる操作受付け部１０からの操作信号を受付け、第１のランプ点灯処理プログラムによる電源オフ時の処理を開始する。
ステップＳ４２では、制御部９は、ランプ駆動部１５にランプ１を消灯させるための消灯コマンドを発し、ランプ１を消灯させる。
ステップＳ４３では、制御部９は、記憶部８から所定のデータを読み出し、ＳＲＡＭ１１に所定のデータを書き込む。さらに、所定のデータを書き込んだアドレスを、記憶部８に記憶する。
ステップＳ４４では、制御部９は、現在投写している映像投写モードなどを記憶部８に記憶させるなど、電源部１６を含む各部をシャットダウンする。
ステップＳ４１〜４４により、ＳＲＡＭ１１に所定のデータが書き込まれた状態で、電源部１６を含む各部がシャットダウンし、プロジェクタ１００は停止する。
ここで、コンデンサ３５には、プロジェクタ１００の動作時に蓄電した電力が蓄えられているため、ＳＲＡＭ１１は、コンデンサ３５からの電力供給が持続する所定の時間機能する。
【００４６】
続いて、図５の電源オン時における処理の流れについて説明する。
ステップＳ５１では、制御部９は、リモコン５に電源オン操作がなされたことによる操作受付け部１０からの操作信号を受付け、第１のランプ点灯処理プログラムによる電源オン時の処理を開始する。
ステップＳ５２では、制御部９は、電源部１６を起動するとともに、各部に各回路の初期化を含む初期化動作を行わせる。
ステップＳ５３では、制御部９は、記憶部８に記憶されているＳＲＡＭ１１の所定のデータを書き込んだアドレスから、データを読み出す。
ステップＳ５４では、制御部９は、ＳＲＡＭ１１から読み出したデータと、記憶部８の所定のデータとを比較し、比較結果から進むべきステップを判断する。双方のデータが一致しない場合、既にコンデンサ３５の蓄電量による所定の時間が経過したことを示していることから、ステップＳ５５へ進む。双方のデータが一致した場合、所定の時間に達していないことを示していることから、ステップＳ５６へ進む。
【００４７】
ステップＳ５５では、制御部９は、ランプ駆動部１５に、ランプ１を点灯させるための指示としての点灯コマンドを発する。ランプ駆動部１５は、制御部９からの点灯コマンドにより、内蔵するイグナイタ回路によりランプ１に高電圧を印加するなど、ランプ１の点灯動作を行う。さらに制御部９は、点灯コマンドと同期して、ファン駆動部１３にファン駆動コマンドを送り、ファン１４を回転させる。これによりランプ１を冷却し、点灯動作によるランプ１の過熱を防止する。
ステップＳ５６では、制御部９は、ファン駆動部１３にファン１４を駆動させるための駆動コマンドを送り、ファン１４を回転させる。
ステップＳ５７では、制御部９は、内蔵する計時部によりランプ１を冷却するための冷却時間が経過したかどうか確認し、冷却時間が経過した場合、ステップＳ５５のランプ点灯動作に進む。冷却時間に達していない場合、ステップＳ５６のファン１４による冷却を継続する。
なお、プロジェクタ１００の場合、冷却時間は、例えば、１５秒に設定されている。
【００４８】
上述した通り、本実施形態によれば以下の効果が得られる。
（１）制御部９は、電源オフ操作がなされると、ランプ１を消灯させるとともに、ＳＲＡＭ１１に所定のデータを書き込んだ後、電源部１６を含む各部をシャットダウンすることから、ＳＲＡＭ１１には、プロジェクタ１００がオフした時点で所定のデータが記憶されている。さらに、コンデンサ３５は、電源部１６からＳＲＡＭ１１に電力を供給する電源ライン間に電源部１６と並列となるように設けられているため、電位ＶＣＣが印加されている間、電位ＶＣＣによる電荷を蓄電し、電源部１６が停止しているときには、ＳＲＡＭ１１に電力を供給する。
よって、ＳＲＡＭ１１に記憶された所定のデータは、コンデンサ３５から電力が供給されている間、保持される。
【００４９】
コンデンサ３５は、ランプ１を冷却するのに必要な所定の時間、ＳＲＡＭ１１を機能させることが可能な容量を持っていることから、ＳＲＡＭ１１に書き込まれた所定のデータが保持されているということは、必要な冷却時間に達していないことを意味している。
制御部９は、電源をオンする操作がなされると、ＳＲＡＭ１１の所定のデータを書き込んだアドレスからデータを読み出し、記憶部８の所定のデータと比較して、一致しない場合にランプを点灯させる指示を発することから、プロジェクタ１００は、ランプ１を冷却するのに必要な所定の時間が経過したことを確認してからランプ１を点灯する。
よって、プロジェクタ１００は、ランプ１の冷却が終了した後にランプ１を点灯することから、高温状態でランプ点灯動作を行ってしまうことによるランプ１の劣化を防ぐとともに、ランプ１を確実に再点灯することができる。
【００５０】
さらに、ＳＲＡＭ１１は、映像信号処理部６において映像信号処理を行う際のファームウエアのワークエリアとして設けられたものであり、また、コンデンサ３５も、ＳＲＡＭ１１のバイパスコンデンサを流用している。
よって、所定の時間を計時するため専用の構成を必要とせず、プロジェクタ１００の構成は、簡便である。
従って、簡便な構成によりランプ１を劣化させることなく確実に再点灯することができるプロジェクタ１００を提供することができる。
【００５１】
（２）制御部９は、ＳＲＡＭ１１の所定のデータを書き込んだアドレスから読み出したデータが、記憶部８の所定のデータと一致した場合、ランプ１を冷却するのに必要な冷却時間、例えば１５秒間、ファン１４を駆動した後にランプ１を点灯させる指示を発することから、プロジェクタ１００は、ランプ１が高温であると判断される場合、直ぐにランプ１の点灯は行わず、ファン１４が発生する冷却能力の高い空流により約１５秒間冷却を行った後、ランプ１を点灯する。
よって、高温状態でランプ点灯動作を行ってしまうことによるランプ１の劣化を防ぐことができるとともに、ランプ１をファン１４により速やかに冷却し、短時間でランプ１を再点灯することができる。
従って、ランプ１を劣化させることなく速やかに再点灯させることができるプロジェクタ１００を提供することができる。
【００５２】
（３）ＳＲＡＭ１１は、メガビットオーダのメモリ容量がある。所定のデータは、１〜５０バイトの範囲内のデータであることから、所定のデータにより必要とされるメモリエリアは、ＳＲＡＭ１１が有するメモリ容量の極一部のエリアで良い。
よって、ランプ冷却時間を確認するための専用部位を必要としない簡便な構成のプロジェクタ１００を提供することができる。
【００５３】
（４）チップセレクト信号ＣＳＳｉｇの入力ラインには、抵抗３８を介して電源部１６のグランドレベルＶＳＳが接続され、さらにインバータは、ＳＲＡＭ１１と同一の電源ラインから電力の供給を受けていることから、チップセレクト信号ＣＳＳｉｇが不確定となった場合、インバータ３７の入力電位は、グランドレベルＶＳＳにプルダウンされる。これにより、チップセレクト端子ＣＳには、インバータ３７からＳＲＡＭ１１を非選択状態とするハイレベルの出力電位が供給される。
よって、電源部１６が停止した場合であっても、ＳＲＡＭ１１には、電源部１６と並列に設けられたコンデンサ３５から電力が供給され、チップセレクト端子ＣＳには、データを保持するためのハイレベルの電位が供給される。
よって、電源部１６が停止した場合であっても、所定のデータが破壊されることなく、所定の時間ＳＲＡＭ１１を機能させることができる。
【００５４】
（実施形態２）
《第２のランプ点灯処理態様》
図６は、プロジェクタのランプ点灯処理の第２の態様を示したフローチャートである。プロジェクタ１００は、実施形態１での説明と同様の構成を有している。
ここでは、記憶部８に記憶されている複数のランプ点灯処理プログラムのうち、実施形態１で説明した第１のランプ点灯処理プログラムと異なる、第２のランプ点灯処理プログラムについて説明する。
以下、図６を主体に、適宜図１と、図３を交えて、プロジェクタ１００によるランプ１の点灯処理の流れを説明する。なお、ＳＲＡＭ１１には、前回プロジェクタがオフされた時点で、所定のデータが書き込まれていたものとする。
【００５５】
ステップＳ１５１では、制御部９は、操作部４に電源オン操作がなされたことによる操作受付け部１０からの操作信号を受付け、第２のランプ点灯処理プログラムによる処理を開始する。
ステップＳ１５２では、制御部９は、電源部１６を起動するとともに、各部に各回路の初期化を含む初期化動作を行わせる。
ステップＳ１５３では、制御部９は、ＳＲＡＭ１１の所定のアドレスから、データを読み出す。所定のアドレスは、固定されており、記憶部８にアドレスが記憶されている。
ステップＳ１５４では、制御部９は、ＳＲＡＭ１１から読み出したデータと、記憶部８の所定のデータとを比較し、比較結果から進むべきステップを判断する。双方のデータが一致しない場合、既にコンデンサ３５の蓄電量による所定の時間が経過したことを示していることから、ステップＳ１５５へ進む。双方のデータが一致した場合、所定の時間に達していないことを示していることから、ステップＳ１５７へ進む。
【００５６】
ステップＳ１５５では、制御部９は、ランプ駆動部１５に、ランプ１を点灯させるための指示としての点灯コマンドを発する。ランプ駆動部１５は、制御部９からの点灯コマンドにより、内蔵するイグナイタ回路によりランプ１に高電圧を印加するなど、ランプ１の点灯動作を行う。さらに制御部９は、点灯コマンドと同期して、ファン駆動部１３にファン駆動コマンドを送り、ファン１４を回転させる。これによりランプ１を冷却し、点灯動作によるランプ１の過熱を防止する。
ステップＳ１５６では、制御部９は、記憶部８から所定のデータを読み出し、ＳＲＡＭ１１の所定のアドレスに所定のデータを書き込む。
ステップＳ１５７では、制御部９は、ファン駆動部１３にファン１４を駆動させるための駆動コマンドを送り、ファン１４を回転させる。
【００５７】
ステップＳ１５８では、制御部９は、内蔵する計時部によりランプ１を冷却するための冷却時間が経過したかどうか確認し、冷却時間が経過した場合、ステップＳ１５５のランプ点灯動作に進む。冷却時間に達していない場合、ステップＳ１５７のファン１４による冷却を継続する。
なお、プロジェクタ１００の場合、冷却時間は、例えば、３０秒に設定されている。
前記説明した通り、本実施形態の第２のランプ点灯処理プログラムと、実施形態１での第１のランプ点灯処理プログラムとの相違点は、所定のデータが書き込まれるＳＲＡＭ１１のアドレスが所定のアドレスとして固定されていること、および、所定のデータの書き込みを、ステップＳ１５５のランプ点灯動作の後に行うことである。
【００５８】
上述した通り、本実施形態によれば前記実施形態での効果に加えて以下の効果が得られる。
（１）制御部９は、電源オン操作がなされ、ランプ１を点灯させる指示を発した後に、ＳＲＡＭ１１の所定のアドレスに所定のデータを書き込むことから、ＳＲＡＭ１１には、プロジェクタ１００の動作中に所定のデータが記憶されている。
よって、プロジェクタ１００の動作中に誤ってプラグが抜かれて、外部電源３１からの電力供給が絶たれ、プロジェクタ１００の動作が停止した場合、ＳＲＡＭ１１は、コンデンサ３５の蓄えた電力により所定の時間機能することから、プロジェクタ１００は、再度外部電源３１に接続され、起動操作がなされても、所定の時間が経過するまでは、ランプ１点灯の指示は出さない。
よって、誤操作などにより機能が停止しても、ランプ１を劣化させることなく確実に再点灯することができるプロジェクタ１００を提供することができる。
【００５９】
なお、本発明は上述した実施形態に限定されず、上述した実施形態に種々の変更や改良などを加えることが可能である。変形例を以下に述べる。
【００６０】
（変形例１）
図７は、第１のランプ点灯処理プログラムにおける電源オフ時の処理の変形例を示したフローチャートである。ここでは、図７を中心に、適宜図１と、図４を交えて説明する。
変形例１のプロジェクタ１００Ｚは、実施形態１のプロジェクタ１００と同様の構成を有している。相違点は、電源をオフした後の動作および処理が異なることである。
具体的には、図４のステップＳ４４で、プロジェクタ１００は、電源部１６を含む各部をシャットダウンするが、変形例１のプロジェクタ１００Ｚにおいては、電源部１６はシャットダウンせずに外部電源３１からの交流電力が入力している限り電力の供給を継続する。また、制御部９は、シャットダウンした後に動作クロックを低速にした待機モードとなり、内蔵する計時部を作動させる。
【００６１】
プロジェクタ１００Ｚによる、電源オフ時の処理の流れを図７を用いて説明する。
ステップＳ１４１では、制御部９は、リモコン５に電源オフ操作がなされたことによる操作受付け部１０からの操作信号を受付け、第１のランプ点灯処理プログラムの変形例による電源オフ時の処理を開始する。
ステップＳ１４２では、制御部９は、ランプ駆動部１５にランプ１を消灯させるための消灯コマンドを発し、ランプ１を消灯させる。
ステップＳ１４３では、制御部９は、記憶部８から所定のデータを読み出し、ＳＲＡＭ１１に所定のデータを書き込む。さらに、所定のデータを書き込んだアドレスを、記憶部８に記憶する。
ステップＳ１４４では、制御部９は、現在投写している映像投写モードなどを記憶部９に記憶させるなど、各部をシャットダウンさせる。電源部１６は、継続して各部に電力を供給し、制御部９は、計時部が機能可能な待機モードとなる。
【００６２】
ステップＳ１４５では、制御部９は、各部がシャットダウンするのと同期して、内蔵する計時部により計時を開始する。
ステップＳ１４６では、制御部９は、計時部の計時が、所定の時間を経過したかどうか確認し、所定の時間が経過した場合、ステップＳ１４７に進む。所定の時間に達していない場合、所定の時間が経過するまで、計時を継続する。
ステップＳ１４７では、制御部９は、ＳＲＡＭ１１の所定のデータを書き込んだアドレスに、所定のデータと異なる「０」を書き込み、リセットを掛ける。なお、リセットの方法は、例えば、ＳＲＡＭ１１がデータクリア端子を備えている場合は、データクリア端子をアクティブにすることにより行っても良い。また、チップセレクト端子ＣＳにローレベルの電位を入力することによりデータを破壊する方法であっても良い。
【００６３】
ステップＳ１４１〜１４７が終了した時点で、ＳＲＡＭ１１の所定のデータが書き込まれたアドレスには「０」が記憶されている。また、電源部１６も継続して動作している。
ここで、プロジェクタ１００Ｚの電源をオンする操作がなされると、図５のステップＳ５４にて、所定のデータが一致しないため、直ぐにステップＳ５５のランプ点灯動作が行われる。
よって、電源オフ操作後も電源部１６が停止せずに電力の供給を継続する構成において、プロジェクタ１００Ｚがシャットダウンし、所定の時間が経過した後、起動操作がなされると、再度所定の時間を待つことなく素早くランプを点灯することができるプロジェクタ１００Ｚを提供することができる。
また、例えば、ステップＳ１４４のシャットダウン動作中、または、ステップＳ１４５〜Ｓ１４６の計時中に、外部電源３１からプラグが抜かれた場合、コンデンサ３５の蓄電量がなくなるまでの所定の時間、ＳＲＡＭ１１には所定のデータが保持されることから、プラグが抜かれた直後に起動操作がなされても、直ぐにランプ点灯動作は行われない。
よって、ランプを劣化させることなく再点灯することができるプロジェクタ１００Ｚを提供することができる。
【００６４】
（変形例２）
図６、図４、図１を用いて説明する。前記実施形態２においては、ステップＳ１５５のランプ点灯動作の後にＳＲＡＭ１１に対して１回のみ所定のデータを書き込んでいるが、例えば、図４のように電源オフ操作をトリガとして、再度所定のデータの書き込みを行っても良い。
これによれば、ランプ点灯動作後にＳＲＡＭ１１に書き込まれた所定のデータが、プロジェクタ１００の動作中に、例えば、外来ノイズの影響によって破壊されてしまった場合でも、再度電源オフ時に書き込むことによって、所定の時間を確保することができる。
また、実施形態２のプロジェクタ１００が、変形例１のプロジェクタ１００Ｚのような、外部電源３１からの交流電力が入力している限り電力の供給を継続する電源部１６と、各部がシャットダウンした後に待機モードとなる制御部９とを、備えた構成である場合において、図７の電源オフ時の処理を行うこととしても良い。
これによれば、電源オフ操作後も電源部１６が停止せずに電力の供給を継続する構成において、プロジェクタ１００がシャットダウンし、所定の時間が経過した後、起動操作がなされると、再度所定の時間を待つことなく素早くランプを点灯することができるプロジェクタ１００を提供することができる。
【００６５】
（変形例３）
図１を用いて説明する。前記実施形態および変形例において、プロジェクタ１００および１００Ｚは、光変調素子として３枚の液晶ライトバルブ３Ｒ，３Ｇ，３Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、光源に放電式のランプを用いていれば、前記実施形態および変形例と同様の作用効果を得ることができる。
【図面の簡単な説明】
【００６６】
【図１】一実施形態におけるプロジェクタの概略構成図。
【図２】ランプおよび光学部近傍の概略構造図。
【図３】ＳＲＡＭの周辺回路構成図。
【図４】第１のランプ点灯処理における電源オフ時のフローチャート。
【図５】第１のランプ点灯処理における電源オン時のフローチャート。
【図６】第２のランプ点灯処理のフローチャート。
【図７】第１のランプ点灯処理の電源オフ時における変形例のフローチャート。
【符号の説明】
【００６７】
１…ランプ、２…光学部、３Ｒ，３Ｂ，３Ｇ…液晶ライトバルブ、４…操作部、５…リモコン、６…映像信号処理部、８…不揮発性メモリを含む記憶部、９…計時部を含む制御部、１０…操作受付け部、１１…揮発性メモリとしてのＳＲＡＭ、１３…ファン駆動部、１４…ファン、１５…ランプ駆動部、１６…電源部、３５…コンデンサ、３７…インバータ、３８…抵抗、ＣＳＳｉｇ…チップセレクト信号、ＣＳ…チップセレクト端子、ＶＳＳ…グランドレベル、１００，１００Ｚ…プロジェクタ。
【図１】
2006292984.tif 000003
【図２】
2006292984.tif 000004
【図３】
2006292984.tif 000005
【図４】
2006292984.tif 000006
【図５】
2006292984.tif 000007
【図６】
2006292984.tif 000008
【図７】
2006292984.tif 000009